【手続補正書】
【提出日】平成18年7月6日(2006.7.6)
【手続補正１】
【補正対象書類名】特許請求の範囲
【補正対象項目名】全文
【補正方法】変更
【補正の内容】
【特許請求の範囲】
【請求項１】
ハンマーであって、
第１の端部を有するハンドルと、
前記ハンドルの前記第１の端部に固定され、前記ハンマーの正面を定義する打撃面が設けられ、拡張された打撃ヘッドを有するハンマーヘッドと、
前記打撃面に隣接した位置にある打撃ヘッドの末端部に取り付けられ、前記ハンドルに実質的に平行に片持ちとされる第１の正面抜き取り器と、前記ハンドルと前記第１の正面抜き取り器との間で片持ちとされる第２の正面抜き取り器とを有するインターフェース部と、
を備えていることを特徴とするハンマー。
【請求項２】
前記インターフェース部は前記第１の正面抜き取り器と第２の正面抜き取り器とを通って延びている溝を備え、
前記第１の正面抜き取り器と前記第２の正面抜き取り器との少なくとも１つは、前記インターフェース部に形成されている少なくとも１つのスロットによって形成されていることを特徴とする請求項１に記載のハンマー。
【請求項３】
前記少なくとも１つのスロットは角度の付けられた形状を持ち、前記スロットの幅が前記インターフェース部に向かって狭くなるようになっていることを特徴とする請求項２に記載のハンマー。
【請求項４】
前記インターフェース部は、前記打撃ヘッドの下側と前記ハンドルとの間に斜めにまたがっているとともに、
前記打撃ヘッドと前記ハンドルとの少なくとも１つに取り付けられていることを特徴とする請求項１に記載のハンマー。
【請求項５】
前記インターフェース部は前記打撃ヘッドおよび前記ハンドルと一緒に一体的に形成されていることを特徴とする請求項１に記載のハンマー。
【請求項６】
前記第１の抜き取り器は前記第２の抜き取り器よりも長いことを特徴とする請求項１に記載のハンマー。
【請求項７】
前記第１の正面抜き取り器は前記ハンドルから約１と５／８インチの間隔があけられ、
前記第２の正面抜き取り器は前記ハンドルから約１と１／４インチの間隔があけられていることを特徴とする請求項１に記載のハンマー。
【請求項８】
前記少なくとも１つのスロットはくぎのヘッドがそのなかに支持される大きさとされて前記くぎが前記打撃面に対して実質的に垂直に片持ちとされるようになっていることを特徴とする請求項３に記載のハンマー。
【請求項９】
前記少なくとも１つのスロットは約１／１６から１／８インチの幅、好ましくは約３／３２インチの幅とされていることを特徴とする請求項８に記載のハンマー。
【請求項１０】
前記スロットは先細りとされて前記スロットの幅が前記インターフェース部に向かって狭くなるようになっていることを特徴とする請求項８に記載のハンマー。
【請求項１１】
前記第１の正面抜き取り器と第２の正面抜き取り器との少なくとも１つが帯磁されてくぎをそのなかに支持できるようにし前記くぎが前記打撃面に対して実質的に垂直に片持ちとされるようになっていることを特徴とする請求項１に記載のハンマー。
【請求項１２】
前記ハンマーヘッドは前記打撃ヘッドの反対側に配置される従来の爪も備えることを特徴とする請求項１に記載のハンマー。
【請求項１３】
ハンマーヘッドであって、
前記ハンマーヘッドの正面を定義する打撃面を有する打撃ヘッドと、
前記打撃ヘッドの末端部に取り付けられ、前記打撃ヘッドの近位にくぎの抜き取りを可能とするように適合されている複数の正面抜き取り器を有するインターフェース部と、
を備え、
前記複数の正面抜き取り器は、前記インターフェース部から片持ちとされ、前記打撃面に実質的に平行である第１の正面抜き取り器と、前記インターフェース部から片持ちとされ、前記打撃面に実質的に平行である第２の正面抜き取り器とを備えていることを特徴とするハンマーヘッド。
【請求項１４】
前記第１の正面抜き取り器は前記第２の正面抜き取り器よりも長いことを特徴とする請求項１３に記載のハンマーヘッド。
【請求項１５】
前記第１の正面抜き取り器と前記第２の正面抜き取り器とは、前記インターフェース部に形成されている少なくとも１つのスロットによって形成され、
前記インターフェース部は前記第１の正面抜き取り器と前記第２の正面抜き取り器とを通って延びている溝を備えていることを特徴とする請求項１３に記載のハンマーヘッド。
【請求項１６】
前記少なくとも１つのスロットはくぎのヘッドがそのなかに支持される大きさとされて前記くぎが前記打撃面に対して実質的に垂直に片持ちとされるようになっているとともに、約１／１６から１／８インチの幅とされ、かつ先細りとされて前記スロットの幅が前記インターフェース部に向かって狭くなるようになっていることを特徴とする請求項１５に記載のハンマーヘッド。
【請求項１７】
前記第１の正面抜き取り器と前記第２の正面抜き取り器との少なくとも１つが帯磁されてくぎをそのなかに支持できるようにし、前記くぎが前記打撃面に対して実質的に垂直に片持ちとされるようになっていることを特徴とする請求項１３に記載のハンマーヘッド。
【請求項１８】
前記打撃ヘッドの反対側に配置される従来の爪も備えることを特徴とする請求項１３に記載のハンマーヘッド。
【請求項１９】
ハンマーヘッドであって、
ハンドルに取り付けられるボディと、
前記ハンマーヘッドの正面を定義している打撃面を有する前記ボディから拡張された打撃ヘッドと、
前記打撃ヘッドの末端部において前記打撃ヘッドから片持ちとされている第１の正面抜き取り器および第２の正面抜き取り器と、
を備え
前記第１の正面抜き取り器および第２の正面抜き取り器とは、前記打撃面に実質的に平行であるとともに、くぎの抜き取りを可能とするように適合されていることを特徴とするハンマーヘッド。
【請求項２０】
前記第１の正面抜き取り器は前記第２の正面抜き取り器よりも長いことを特徴とする請求項１９に記載のハンマーヘッド。
【請求項２１】
前記第１の正面抜き取り器および前記第２の正面抜き取り器を通って延びている溝をさらに備えることを特徴とする請求項１９に記載のハンマーヘッド。
【請求項２２】
前記第１の正面抜き取り器と前記第２の正面抜き取り器との間にスロットが設けられていることを特徴とする請求項２１に記載のハンマーヘッド。
【請求項２３】
前記スロットはそのなかにくぎのヘッドを保持する大きさの約１／１６から１／８インチの間の幅とされ、前記釘が前記溝に保持され前記打撃面に対して実質的に垂直に片持ちとされるようになっていることを特徴とする請求項２２に記載のハンマーヘッド。
【請求項２４】
前記スロットは先細りとされて前記スロットの幅が前記打撃ヘッドに向かって狭くなるようになっていることを特徴とする請求項２３に記載のハンマーヘッド。
【請求項２５】
前記第１の正面抜き取り器および前記第２の正面抜き取り器のうち少なくとも１つが帯磁されてくぎが前記溝のなかに保持され前記打撃面に対して実質的に垂直に片持ちとされるようになっていることを特徴とする請求項２１に記載のハンマーヘッド。
【請求項２６】
前記第１の正面抜き取り器および前記第２の正面抜き取り器は前記ハンマーヘッドの前記打撃ヘッドと一体的に形成されることを特徴とする請求項１９に記載のハンマーヘッド。
【請求項２７】
前記打撃ヘッドの反対側に配置される従来の爪をさらに備えることを特徴とする請求項１９に記載のハンマーヘッド。
【請求項２８】
ハンマーであって、
第１の端部を有するハンドルと、
前記ハンドルの第１の端部に固定され、前記ハンマーの正面を定義している打撃面が設けられ、拡張された打撃ヘッドを有するハンマーヘッドと、
前記ハンドルと、前記打撃面に隣接した位置にある前記打撃ヘッドの末端部とのうち少なくとも１つに取り付けられ、前記ハンマーヘッドの近位に前記ハンマーの正面に向かって配置されるそれぞれ片持ちの第１の正面抜き取り器と第２の正面抜き取り器とを有するインターフェース部と、
を備え、
前記第２の正面抜き取り器は、前記ハンドルと前記第１の正面抜き取り器との間で片持ちとされることを特徴とするハンマー。
【請求項２９】
前記インターフェース部は前記第１の正面抜き取り器と第２の正面抜き取り器とを通って延びている溝を備えることを特徴とする請求項２８に記載のハンマー。
【請求項３０】
前記第１の正面抜き取り器と第２の正面抜き取り器とは前記インターフェース部に形成されている少なくとも１つのスロットによって形成されていることを特徴とする請求項２８に記載のハンマー。
【請求項３１】
前記インターフェース部は前記打撃ヘッドの下側と前記ハンドルとの間に斜めにまたがっているとともに、前記打撃ヘッドの下側と前記ハンドルとに取り付けられていることを特徴とする請求項２８に記載のハンマー。
【請求項３２】
前記第１の正面抜き取り器と第２の正面抜き取り器とを有する前記インターフェース部は前記ハンドルに取り付けられてそこから片持ちとされていることを特徴とする請求項２８に記載のハンマー。
【請求項３３】
前記第１の正面抜き取り器と第２の正面抜き取り器とを有する前記インターフェース部は前記打撃ヘッドに取り付けられてそこから片持ちとされていることを特徴とする請求項２８に記載のハンマー。
【請求項３４】
前記正面抜き取り器のうち少なくとも１つが前記ハンドルに対して実質的に平行に片持ちとされていることを特徴とする請求項３３に記載のハンマー。
【請求項３５】
前記少なくとも１つのスロットは角度の付いた形状を持ち前記スロットの幅が前記インターフェース部に向かって狭くなるようになっているとともに、そのなかにくぎのヘッドが支持できる大きさとされて、前記くぎが前記打撃面に対して実質的に垂直に片持ちとされるようになっていることを特徴とする請求項３０に記載のハンマー。
【請求項３６】
前記第１の正面抜き取り器と第２の正面抜き取り器とのうち少なくとも１つが帯磁されてそのなかにくぎが支持され、前記くぎが前記打撃面に対して実質的に垂直に片持ちとされるようになっていることを特徴とする請求項２８に記載のハンマー。
【請求項３７】
表面からくぎを抜き取る方法であって、
くぎの隣にハンマーを、ハンマーの正面を定義しているハンマーの打撃面がくぎを抜き取ろうとしている表面に接触するように配置する工程と、
ハンマーの正面に向かってハンマーの打撃面の近位に配置された第１の正面抜き取り器にくぎを係合させる工程と、
ハンマーのハンドルを打撃面を中心に回転させて表面から部分的にくぎを抜き取る工程と、
第１の正面抜き取り器からくぎを解放する工程と、
ハンマーの正面に向かって第１の正面抜き取り器とハンマーのハンドルとの間に配置されている第２の正面抜き取り器にくぎを係合させる工程と、
ハンマーのハンドルを打撃面を中心に回転させてさらに表面からくぎを抜き取る工程と、
を包含する方法。
【請求項３８】
前記くぎを第２の正面抜き取り器に係合させてハンマーのハンドルを打撃面を中心に回転させる工程がくぎを表面から完全に抜き取ることを特徴とする請求項３７に記載の方法。
【請求項３９】
第２の正面抜き取り器からくぎを解放する工程と、
ハンマーの正面に向かって第２の正面抜き取り器とハンマーのハンドルとの間に配置されている第３の正面抜き取り器にくぎを係合させる工程と、
ハンマーのハンドルを打撃面を中心に回転させて表面からくぎをさらに抜き取る工程と、
をさらに包含することを特徴とする、請求項３７に記載の方法。